(57)【要約】バリキャップ同調・コイル−コンデンサ・タンク回路のような電子同調フィルタ（２２、２４）を備えるチューナ（２）は、受信機（１）を近くに置くこと無しに、電子的に較正される必要がある。較正信号を格納するために、前記チューナ（２）はメモリを必要とするが、メモリは高周波技術とはうまく協働できない。チューナ（２）に受信機（１）の外に置かれるデータベース（４０）内のデータベースフィールドを識別する識別子を与えることにより、受信機（１）への取り付け後、チューナ（２）にメモリを必要とする無しに、較正プロセスの結果による較正信号を電子同調フィルタ（２２、２４）の較正のためにダウンロードできる。好ましくは、受信機（１）は、チューナ（２）の外に置かれ、ダウンロードの後較正信号を格納する受信機メモリ（１１）を備え、データベース（４０）は、インターネットやイントラネットなどのネットワーク（４１）に結合され、受信機（１）はネットワーク（４１）に結合される入出力端を備え、データベース（４０）はサーバとなる。チューナ（２）は、デジタル較正信号をアナログ較正信号に変換するためのデジタル／アナログ変換器（２７、２８）を備える。
2005530390.tif 000002
【特許請求の範囲】
【請求項１】
少なくとも一つの電子同調フィルタを有するチューナを備える受信機であって、前記チューナは、前記受信機の外に置かれ、前記電子同調フィルタを較正するための少なくとも一つの較正信号を格納するためのデータベース内の少なくとも一つのデータベースフィールドを識別するための、少なくとも一つの識別子を有することを特徴とする、受信機。
【請求項２】
前記受信機は、前記チューナの外に置かれ、前記較正信号を格納するための受信機メモリを備え、前記チューナは、前記受信機メモリに結合され、前記較正信号を受信するための、チューナバスを有することを特徴とする、請求項１に記載の受信機。
【請求項３】
前記データベースはネットワークに結合され、前記受信機は前記ネットワークに結合される入出力端を備えることを特徴とする、請求項２に記載の受信機。
【請求項４】
前記データベースおよび／または前記受信機メモリに格納される前記較正信号はデジタル較正信号であり、前記受信機は、前記デジタル較正信号をアナログ較正信号に変換するデジタル／アナログ変換器を備えることを特徴とする、請求項２に記載の受信機。  
【請求項５】
前記チューナは、前記チューナバスと前記電子同調フィルタとの間に前記デジタル／アナログ変換器を有することを特徴とする、請求項４に記載の受信機。
【請求項６】
少なくとも一つの電子同調フィルタを備え、受信機内で用いられるチューナであって、前記受信機の外に置かれ、前記電子同調フィルタを較正するための少なくとも一つの較正信号を格納するためのデータベース内の少なくとも一つのデータベースフィールドを識別するための、少なくとも一つの識別子を有することを特徴とする、チューナ。
【請求項７】
前記チューナは、受信機メモリに結合され、前記受信機メモリに格納される前記較正信号を受信するためのチューナバスを備えることを特徴とする、請求項６に記載のチューナ。
【請求項８】
前記データベースおよび／または前記受信機メモリ内に格納される前記較正信号はデジタル較正信号であり、前記受信機は、前記デジタル較正信号をアナログ較正信号に変換するためのデジタル／アナログ変換器を備えることを特徴とする、請求項７に記載のチューナ。
【請求項９】
前記チューナは、前記チューナバスと前記電子同調フィルタとの間に前記デジタル／アナログ変換器を有することを特徴とする、請求項８に記載のチューナ。  
【請求項１０】
受信機のチューナ内の少なくとも一つの電子同調フィルタを電子同調する方法であって、前記受信機外に置かれるデータベース内の少なくとも一つのデータベースフィールドを識別する過程と、前記電子同調フィルタを較正するための少なくとも一つの較正信号を前記データベースフィールドからダウンロードする過程とを備えることを特徴とする方法。  
【請求項１１】
チューナを販売する方法であって、
少なくとも一つの電子的に同調可能なフィルタと、少なくとも一つの識別子とを有するチューナを提供する過程であって、前記識別子は前記チューナの外に置かれるデータベース内の少なくとも一つのデータベースフィールドを識別するためものである、過程と、
前記電子的に同調可能なフィルタを較正するための較正信号を格納するための前記データベースフィールドを有する前記データベースを稼働させる過程と、を備えることを特徴とする方法。
【発明の詳細な説明】
【技術分野】
【０００１】
本発明は、少なくとも一つの電子同調フィルタを有するチューナを備える受信機に関する。本発明はさらに、少なくとも一つの電子同調フィルタを備えるチューナであって、チューナを備える受信機内で用いられるチューナと、受信機のチューナ内の、少なくとも一つの電子同調フィルタを電子同調する方法と、チューナを販売（ｓｅｌｌｉｎｇ）する方法とに関する。
【０００２】
このような受信機は、例えばバリキャップ同調・コイル−コンデンサ・タンク回路のような電子同調フィルタを有するチューナ、例えばテレビ用チューナ、を備えるテレビ用受信機などである。  
【背景技術】
【０００３】
従来技術の受信機は、図１に２つの電子同調フィルタを有するチューナを備える受信機を開示する、欧州特許出願公開第０５４０９０８Ａ１号明細書のものが公知である。この公知の受信機は、特に製造者フレンドリでない点で不利益がある。チューナは通常、受信機とは別々にファーストパーティによって製造され、後にセカンドパーティによって受信機に取り付けられる。ファーストパーティは受信機を近くに置くこと無しに較正（換言すれば調整）を行わなければならない。例えばテレビ用チューナなどのチューナの場合、高周波技術は半導体メモリ技術とはうまくいかず、チューナは較正信号（調整信号）を格納するメモリを有さない。よって、セカンドパーティは較正処理（調整処理）を行わなければならず、これは不利益となる。
【発明の開示】
【発明が解決しようとする課題】
【０００４】
本発明の目的は、特に、より製造者フレンドリである、プリアンブル部分で定義される受信機を提供することである。本発明は、独立請求項によって定義される。従属請求項は、有益な実施形態を定義する。  
【課題を解決するための手段】
【０００５】
本発明による受信機は、チューナが少なくとも一つの識別子を備え、この識別子が受信機の外に置かれ、電子同調フィルタを較正するための少なくとも一つの較正信号を格納するためのデータベース内の、少なくとも一つのデータベースフィールド（領域）を識別するためのものであることを特徴とする。  
【０００６】
ファーストパーティが較正処理を行い、較正信号を例えばラップトップやＣＤ−ＲＯＭなどのデータベースのデータベースフィールドに格納するようにすることにより、セカンドパーティは、データベースフィールドから較正信号をダウンロードするために識別子の使用を必要とするのみである。この識別子は、例えば数字やバーコードなどを含む。  
【０００７】
本発明は特に、チューナの電子同調フィルタの較正は、製造後すぐに、そして受信機にチューナを設置する前に行わなければならないという考えに基づいており、そして、特に、較正の結果はチューナ内部や近くに保持する必要はないという基本概念に基づいている。  
【０００８】
本発明は特に、より製造者フレンドリな受信機を提供するという問題を解決し、特に製造プロセスがより効率的になるという利点を有する。例えば、高周波シールドケーシングはもはや取り外し可能なカバーを必要としない。過去、このような取り外し可能なカバーは、機械的変形（コイルの巻線の開閉）によるコイルインダクタンスの調整を行うために、従来のチューナ調節手順の間にコイルへのアクセスを得るのに必要であった。  
【０００９】
請求項２によって定義される、本発明の第１の実施形態による受信機は、チューナの外に置かれ、較正信号を格納するための受信機メモリを備え、チューナは、受信機メモリに結合され、較正信号を受信するためのチューナバスを有することを特徴とする。較正信号を格納するための受信機メモリを用いることにより、新しく取り付けられたチューナそれぞれについて一度だけダウンロードを行えばよくなる。  
【００１０】
請求項３によって定義される、本発明の第２の実施形態による受信機は、データベースがネットワークに結合され、受信機がネットワークに結合される入出力端を備える。ネットワーク、例えばインターネットやイントラネット（例えばＰＳＴＮ／ＩＳＤＮネットワーク＋アクセスプロバイダ＋サービスプロバイダ）を導入することにより、データベースは、例えばインターネットプロトコルアドレス（ＩＰアドレス）および／またはＵＲＬ（Ｕｎｉｆｏｒｍ  Ｒｅｓｏｕｒｃｅ  Ｌｏｃａｔｏｒ）などの識別子を有するサーバとして用いることができ、上述したラップトップおよびＣＤ−ＲＯＭはもはやチューナとともに供給される必要がない。小さな半導体メモリが識別子を格納するためにチューナの内部に取り付けられてもよい。さらに、ネットワークに結合される入出力端は、例えば顧客がウェブサーフィンを行ったり（よって、パーソナルコンピュータとしてネットワークモデムを有する受信機を用いる）、ソフトウェアをダウンロードしたり、顧客情報をセカンドパーティ、サードパーティ、等に送信したりするために用いられてもよい。  
【００１１】
請求項４によって定義される、本発明の第３の実施形態による受信機は、データベースおよび／または受信機メモリ内に格納される較正信号はデジタル較正信号であり、受信機はデジタル較正信号をアナログ較正信号に変換するデジタル／アナログ変換器を備えることを特徴とする。デジタル／アナログ変換器を導入することにより較正信号はデジタル的に格納したりダウンロードしたりできるようになり、バリキャップ同調・コイル−コンデンサ・タンク回路がこの回路を制御するために必要なアナログ較正信号を受信する。  
【００１２】
請求項５によって定義される、本発明の第４の実施形態による受信機は、チューナがチューナバスと電子同調フィルタとの間にデジタル／アナログ変換器を有することを特徴とする。デジタル／アナログ変換器をチューナ内に置くことにより、デジタル較正信号がチューナに供給され、そこでアナログフォーマットに変換されることにより、チューナ外のノイズがデジタル較正信号を妨害することがない。  
【００１３】
本発明によるチューナと本発明による方法の実施形態は、本発明による受信機の実施形態に対応する。  
【発明を実施するための最良の形態】
【００１４】
本発明の、これらおよび他の態様は、以下に記載する実施形態を参照することにより、明らかであり、説明される。  
【００１５】
図に示される受信機１は、チューナ２と、プロセッサ（μＰ）１０と、メモリ（ＭＥＭ）１１と、復調器（ＤＥＭＯＤ）１４と、人−機械インタフェース（ＭＭＩ）１５と、ネットワークモデム１６とを備え、これらはすべて受信機バス１２に結合される。受信機バス１２は、受信機入出力端１３にさらに結合され、受信機入出力端１３はネットワーク４１を介してデータベース４０に結合される。復調器１４の入力は、チューナ２の出力に結合され、復調器１４の出力は、例えばディスプレイまたはスクリーン、スピーカー、リモコンを介して通信する赤外線インタフェース、キーボードあるいはキーなどから成る、ＭＭＩ１５の入力に結合される。  
【００１６】
チューナ２は、入力がアンテナに結合され、出力が第１の電子同調フィルタ（ＥＴＦ１）２２の入力に結合される前置増幅器（ＡＭＰ１）２１を備え、第１の電子同調フィルタ（ＥＴＦ１）２２の出力は追加（ｆｕｒｔｈｅｒ）増幅器（ＡＭＰ２）２３の入力に結合されている。追加増幅器２３の出力は、第２の電子同調フィルタ（ＥＴＦ２）２４の入力に結合され、第２の電子同調フィルタ（ＥＴＦ２）２４の出力はミキサ（ＭＩＸ）２５の入力に結合される。ミキサ２５の出力は復調器１４の入力に結合される。復調器１４は、例えば、さらに追加の増幅器、検知器、追加のフィルタなどから成る。  
【００１７】
第１の電子同調フィルタ２２の制御入力は、第１のデジタルからアナログへの変換器２７（Ａ／Ｄ変換器２７）の出力に結合されており、第２の電子同調フィルタ２４の制御入力は、第２のデジタル／アナログ変換器２８（Ａ／Ｄ変換器２８）の出力に結合されている。ミキサ２５の制御入力は、例えばシンセサイザやフェーズロックループ（ＰＬＬ）などを有する発振器（ＯＳＣ）２９の出力に結合される。前置増幅器２１、Ａ／Ｄ変換器２７、追加増幅器２３、ＡＤ変換器２８、および発振器２９の制御入出力端は、チューナバス３０に結合され、チューナバス３０はさらにチューナメモリ（ＴＵＮ  ＭＥＭ）２６とバスコントローラ（ＣＯＮＴ）２０とチューナ入出力端３１とに結合され、チューナ入出力端３１はさらに受信機バス１２に結合される。  
【００１８】
受信機１と、チューナ２とは以下の機能を有する。受信機１は、例えばテレビ用受信機であり、例えばバリキャップ同調・コイル−コンデンサ・タンク回路などの電子同調フィルタ２２、２４を有する、例えばテレビ用チューナなどのチューナ２を備える。チューナ２は、ファーストパーティ（チューナ製造者）によって、受信機１とは別に製造され、（電子同調フィルタ２２、２４を較正するための）較正信号を用いてファーストパーティによって較正されているが、チューナメモリ２６には格納されていない。チューナメモリ２６がこれらの較正信号を格納するには小さすぎるか、まったく存在しないからである（半導体メモリ技術は、高周波技術とうまく協働しないため）。後に、チューナ２はセカンドパーティ（受信機製造者）によって受信機１に取り付けられる。  
【００１９】
第１の可能性では、セカンドパーティはチューナ２上あるいは近くにある１つ以上の数字、および／またはチューナ２上あるいは近くにある１つ以上のバーコードを読む。これらの数字および／またはバーコードは、受信機１外に置かれるデータベース４０のデータベースフィールドを識別するためのいわゆる識別子である。これらのデータベースフィールドでは、電子同調フィルタ２２、２４を較正するための１以上の較正信号がファーストパーティによって格納されている。  
【００２０】
セカンドパーティは、例えばラップトップをネットワーク４１に接続し、データベースフィールドから較正信号をダウンロードする。そして、較正信号はラップトップから受信機入出力端１３を介して受信機１にダウンロードされ、プロセッサ１０の制御の下で受信機バス１２を介して受信機メモリ１１に格納される。次に、必要なときはいつでも、プロセッサ１０の制御の下で、較正信号は受信機バス１２、チューナ入出力端３１、チューナバス３０を介して、例えばバスコントローラ２０の制御の下でＡＤ変換器２７、２８に供給される。ＡＤ変換器２７、２８は、デジタル較正信号をアナログ較正信号に変換し、電子同調フィルタ２２、２４に供給することにより、これらが較正され用いることができる状態にする。  
【００２１】
第２の可能性によれば、プロセッサ１０はチューナ２が較正されなければならないと決定し、受信機バス１２と、チューナ入出力端３１と、チューナバス３０とを介して、チューナメモリ２６を読み取る。チューナメモリ２６は、受信機１外に置かれるデータベース４０内のデータベースフィールドを識別する、いわゆる識別子である、インターネットプロトコルアドレス（ＩＰアドレス）、および／またはＵＲＬ（Ｕｎｉｆｏｒｍ  Ｒｅｓｏｕｒｃｅ  Ｌｏｃａｔｏｒ）を有する。これらのデータベースフィールドには、電子同調フィルタ２２、２４を較正するための１以上の較正信号がファーストパーティによって格納されている。  
【００２２】
次に、プロセッサ１０は、ネットワーク４１を介してデータベース４０と接続し、例えばネットワークモデム１６などの受信機入出力端１３を介してネットワーク４１と接続する。ネットワーク４１は、例えばインターネットまたはイントラネット（例えば、ＰＳＴＮ／ＩＳＤＮネットワーク＋アクセスプロバイダ＋サービスプロバイダ）であり、たとえばサーバなどのデータベースを有している。そして、較正信号はネットワーク４１を介してデータベース４０から、受信機入出力端１３を介して受信機１に、自動的にダウンロードされ、プロセッサ１０の制御の下で受信機バス１２を介して受信機メモリ１１に格納される。そして、必要なときはいつでも、プロセッサ１０の制御の下で、較正信号は受信機バス１２と、チューナ入出力端３１と、チューナバス３０とを介して、例えばバスコントローラ２０の制御の下でＡＤ変換器２７、２８に供給されうる。ＡＤ変換器２７、２８は、デジタル較正信号をアナログ較正信号に変換し、アナログ較正信号を電子同調フィルタ２２、２４に供給して較正し使えるようにする。  
【００２３】
本発明は、特に、チューナ２内の電子同調フィルタ２２、２４の較正は製造直後チューナ２を受信機１に取り付ける前までに行わなければならないという考えに基づいており、特に、較正結果はチューナ２の内部や近くにに保持する必要はないという基本概念に基づいている。  
【００２４】
本発明は、特に、製造者フレンドリな受信機１を提供するという問題を解決し、特に、製造プロセスがより効率的になるという利点がある。例えば、高周波シールドケーシングが取り外し可能なカバーを必要としなくなる。  
【００２５】
受信機は、カーラジオ受信機のような他の種類の受信機であってもよく、前置増幅器２１の入力はアンテナ、ケーブル、衛星アンテナ等に結合されても良い。チューナ２は、例えばセットトップボックスのように大きなＭＭＩ１５を持たない受信機内で用いられても良い。チューナ２は、少なくとも一つの電子同調フィルタ（Ｅ．Ｔ．フィルタ）を有するが、もっと多く、数百くらいまでのＥ．Ｔ．フィルタを有してもよい。このとき、各Ｅ．Ｔ．フィルタが独自の識別子を持っても、いくつかのＥ．Ｔ．フィルタが一つの識別子を共有してもよい。このとき較正信号は、較正信号のどの部分がどのＥ．Ｔ．フィルタを定めるのかを示す指標を有する。チューナ２の内容は例としてのものであり、少なくとも一つのＥ．Ｔ．フィルタが存在するが、前置増幅器２１、追加増幅器２３、ミキサ２５など、他の全ての部分は有っても無くてもよい。各Ｅ．Ｔ．フィルタに一つのＤＡ変換器を配する変わりに、時分割多重機構および／またはアナログバッファ等と組み合わせて、少ない数のＤＡ変換器を用いてもよい。アンテナに結合された前置増幅器２１の代わりに、（追加の）Ｅ．Ｔ．フィルタがアンテナ等に結合されてもよい。米国特許第６，１５１，４８８号明細書「互いに異なる信号の同時受信のためのマルチチューナ受信機」に定義されるように、１以上のチューナが同じケーシング内に配置されてもよい。各Ｅ．Ｔ．フィルタは特に、バンドパス、ローパス、ハイパス、および帯域消去型のフィルタでよく、ＲＦ信号用のフィルタに限定する必要はなく、特に、ＩＦ信号用のフィルタやベースバンドフィルタなどでよい。
【００２６】
上述の実施形態は本発明を限定するものではなく例示するものであり、当業者であれば、添付の請求項の範囲から逸脱することなく多くの代替の実施形態を設計することが可能である。請求項では、括弧内に参照符号があった場合、これは請求項を限定すると解釈されてはならない。「備える」という語は、請求項に列記されたもの以外の構成要素や工程の存在を排除するものではない。構成要素の前の不定冠詞は、これらの構成要素が複数存在することを否定するものではない。本発明はいくつかの異なる構成要素を備えるハードウェアや、適切にプログラムされたコンピュータによって実行することができる。いくつかの手段を列挙している装置の請求項では、これらの手段のいくつかはハードウェアの一つの同じ要素によって実体化されてもよい。いくつかの手段が互いに異なる従属項に記載されているという事実は、これらの手段の組み合わせが利益をもたらさないということを示すものではない。
【図面の簡単な説明】
【００２７】
【図１】本発明によりチューナを備える、本発明による受信器のブロック図である。
2005530390.tif 000003
【手続補正書】
【提出日】平成17年3月16日(2005.3.16)
【手続補正１】
【補正対象書類名】明細書
【補正対象項目名】００１７
【補正方法】変更
【補正の内容】
【００１７】
第１の電子同調フィルタ２２の制御入力は、第１のデジタルからアナログへの変換器２７（Ｄ／Ａ変換器２７）の出力に結合されており、第２の電子同調フィルタ２４の制御入力は、第２のデジタル／アナログ変換器２８（Ｄ／Ａ変換器２８）の出力に結合されている。ミキサ２５の制御入力は、例えばシンセサイザやフェーズロックループ（ＰＬＬ）などを有する発振器（ＯＳＣ）２９の出力に結合される。前置増幅器２１、変換器２７、追加増幅器２３、Ｄ／Ａ変換器２８、および発振器２９の制御入出力端は、チューナバス３０に結合され、チューナバス３０はさらにチューナメモリ（ＴＵＮ  ＭＥＭ）２６とバスコントローラ（ＣＯＮＴ）２０とチューナ入出力端３１とに結合され、チューナ入出力端３１はさらに受信機バス１２に結合される。
【手続補正２】
【補正対象書類名】明細書
【補正対象項目名】００２０
【補正方法】変更
【補正の内容】
【００２０】
セカンドパーティは、例えばラップトップをネットワーク４１に接続し、データベースフィールドから較正信号をダウンロードする。そして、較正信号はラップトップから受信機入出力端１３を介して受信機１にダウンロードされ、プロセッサ１０の制御の下で受信機バス１２を介して受信機メモリ１１に格納される。次に、必要なときはいつでも、プロセッサ１０の制御の下で、較正信号は受信機バス１２、チューナ入出力端３１、チューナバス３０を介して、例えばバスコントローラ２０の制御の下でＤ／Ａ変換器２７、２８に供給される。Ｄ／Ａ変換器２７、２８は、デジタル較正信号をアナログ較正信号に変換し、電子同調フィルタ２２、２４に供給することにより、これらが較正され用いることができる状態にする。
【手続補正３】
【補正対象書類名】明細書
【補正対象項目名】００２２
【補正方法】変更
【補正の内容】
【００２２】
次に、プロセッサ１０は、ネットワーク４１を介してデータベース４０と接続し、例えばネットワークモデム１６などの受信機入出力端１３を介してネットワーク４１と接続する。ネットワーク４１は、例えばインターネットまたはイントラネット（例えば、ＰＳＴＮ／ＩＳＤＮネットワーク＋アクセスプロバイダ＋サービスプロバイダ）であり、たとえばサーバなどのデータベースを有している。そして、較正信号はネットワーク４１を介してデータベース４０から、受信機入出力端１３を介して受信機１に、自動的にダウンロードされ、プロセッサ１０の制御の下で受信機バス１２を介して受信機メモリ１１に格納される。そして、必要なときはいつでも、プロセッサ１０の制御の下で、較正信号は受信機バス１２と、チューナ入出力端３１と、チューナバス３０とを介して、例えばバスコントローラ２０の制御の下でＤ／Ａ変換器２７、２８に供給されうる。Ｄ／Ａ変換器２７、２８は、デジタル較正信号をアナログ較正信号に変換し、アナログ較正信号を電子同調フィルタ２２、２４に供給して較正し使えるようにする。
【手続補正４】
【補正対象書類名】明細書
【補正対象項目名】００２５
【補正方法】変更
【補正の内容】
【００２５】
受信機は、カーラジオ受信機のような他の種類の受信機であってもよく、前置増幅器２１の入力はアンテナ、ケーブル、衛星アンテナ等に結合されても良い。チューナ２は、例えばセットトップボックスのように大きなＭＭＩ１５を持たない受信機内で用いられても良い。チューナ２は、少なくとも一つの電子同調フィルタ（Ｅ．Ｔ．フィルタ）を有するが、もっと多く、数百くらいまでのＥ．Ｔ．フィルタを有してもよい。このとき、各Ｅ．Ｔ．フィルタが独自の識別子を持っても、いくつかのＥ．Ｔ．フィルタが一つの識別子を共有してもよい。このとき較正信号は、較正信号のどの部分がどのＥ．Ｔ．フィルタを定めるのかを示す指標を有する。チューナ２の内容は例としてのものであり、少なくとも一つのＥ．Ｔ．フィルタが存在するが、前置増幅器２１、追加増幅器２３、ミキサ２５など、他の全ての部分は有っても無くてもよい。各Ｅ．Ｔ．フィルタに一つのＤ／Ａ変換器を配する変わりに、時分割多重機構および／またはアナログバッファ等と組み合わせて、少ない数のＤ／Ａ変換器を用いてもよい。アンテナに結合された前置増幅器２１の代わりに、（追加の）Ｅ．Ｔ．フィルタがアンテナ等に結合されてもよい。米国特許第６，１５１，４８８号明細書「互いに異なる信号の同時受信のためのマルチチューナ受信機」に定義されるように、１以上のチューナが同じケーシング内に配置されてもよい。各Ｅ．Ｔ．フィルタは特に、バンドパス、ローパス、ハイパス、および帯域消去型のフィルタでよく、ＲＦ信号用のフィルタに限定する必要はなく、特に、ＩＦ信号用のフィルタやベースバンドフィルタなどでよい。
【手続補正５】
【補正対象書類名】図面
【補正対象項目名】図１
【補正方法】変更
【補正の内容】
【図１】
2005530390.tif 000004
【国際調査報告】
2005530390.tif 000005
2005530390.tif 000006
2005530390.tif 000007